(57)【要約】  【課題】本構成を有していない場合に比較して、より精度の高いアンケートを実施することができるアンケート装置を提供する。  【解決手段】チェックポイント質問及びチェックポイント到達条件は、アンケートの調査者により予め設定されている。質問に対する回答を受け付けると、アンケートプログラム４は、チェックポイント到達条件を参照し、チェックポイント到達条件が満たされるか否かを判定する。チェックポイント到達条件が満たされている場合、その次の質問としてチェックポイント質問が選択される。チェックポイント到達条件が満たされていない場合、アンケートプログラム４は、質問と該質問に対する回答からキーワードを抽出し、該抽出されたキーワードに基づいて、次回質問候補となる１以上の質問を質問ＤＢから選択する。ここで、次回質問候補は、記憶されている質問履歴にさらに基づいて選択される。【選択図】図７
2008021214.tif 000002
【特許請求の範囲】
【請求項１】
属性及び属性に関する依存関係が設定された複数の質問を記憶する質問記憶手段と、
前記質問記憶手段に記憶されている質問がなされた履歴を記憶する質問履歴記憶手段と、
質問を選択するための条件を受け付ける選択条件受付手段と、
質問と、該質問に対する回答と、前記選択条件受付手段に受け付けられた選択条件と、前記質問履歴記憶手段に記憶されている履歴の質問に設定された属性とに基づいて、前記質問記憶手段に記憶されている質問であって依存関係を満たす質問から、その次の質問を選択する質問選択手段と
を有するアンケート装置。
【請求項２】
前記質問記憶手段は、所定の属性が、前記質問履歴記憶手段に記憶されている履歴の質問のいずれかに設定されていることを依存関係として設定された質問を記憶する
請求項１に記載のアンケート装置。
【請求項３】
前記質問記憶手段は、所定の属性が、前記質問履歴記憶手段に記憶されている履歴の質問のいずれにも設定されていないことを依存関係として設定された質問を記憶する
請求項１又は２に記載のアンケート装置。
【請求項４】
コンピュータと、属性及び属性に関する依存関係が設定された複数の質問を記憶する質問記憶手段と、前記質問記憶手段に記憶されている質問がなされた履歴を記憶する質問履歴記憶手段とを有するアンケート装置において、
質問を選択するための条件を受け付ける選択条件受付ステップと、
質問と、該質問に対する回答と、前記受け付けられた選択条件と、前記記憶されている履歴の質問に設定された属性とに基づいて、前記記憶されている質問であって依存関係を満たす質問から、その次の質問を選択する質問選択ステップと
を前記アンケート装置のコンピュータに実行させるプログラム。
【発明の詳細な説明】
【技術分野】
【０００１】
本発明は、複数の質問を回答者に対して行うアンケート装置に関する。
【背景技術】
【０００２】
一般に、アンケートの回答者は、自己の心理的な状況や習慣に影響を受け、アンケートに対して正確に回答しない場合がある。この場合、回答は、回答者の本来の意図とは異なるものになってしまう。したがって、収集されたアンケートは、正確性に欠けてしまうことがある。一方、アンケートの実施者（調査者ともいう）は、正しい調査結果を得ることに加えて、必ず回答してもらいたい質問をアンケートに含めることを希望する場合がある。
【０００３】
特許文献１では、回答者の属性情報に合致した質問群からアンケートを自動作成し、各質問群での回答に応じてさらに下位の詳細質問に遷移して詳細な回答を収集できるアンケートを作成する手法が開示されている。
【０００４】
【特許文献１】特開２００４−２８７７４５号公報
【発明の開示】
【発明が解決しようとする課題】
【０００５】
本発明は、本構成を有していない場合に比較して、より精度の高いアンケートを実施することができるアンケート装置を提供することを目的とする。
【課題を解決するための手段】
【０００６】
上記目的を達成するために、本発明に係るアンケート装置は、属性及び属性に関する依存関係が設定された複数の質問を記憶する質問記憶手段と、前記質問記憶手段に記憶されている質問がなされた履歴を記憶する質問履歴記憶手段と、質問を選択するための条件を受け付ける選択条件受付手段と、質問と、該質問に対する回答と、前記選択条件受付手段に受け付けられた選択条件と、前記質問履歴記憶手段に記憶されている履歴の質問に設定された属性とに基づいて、前記質問記憶手段に記憶されている質問であって依存関係を満たす質問から、その次の質問を選択する質問選択手段とを有する。本発明によれば、本構成を有していない場合に比較して、より精度の高いアンケートを実施することができる。
【０００７】
好適には、前記質問記憶手段は、所定の属性が、前記質問履歴記憶手段に記憶されている履歴の質問のいずれかに設定されていることを依存関係として設定された質問を記憶する。本発明によれば、本構成を有していない場合に比較して、より適切な順序でアンケートを実施することができる。
好適には、前記質問記憶手段は、所定の属性が、前記質問履歴記憶手段に記憶されている履歴の質問のいずれにも設定されていないことを依存関係として設定された質問を記憶する。本発明によれば、本構成を有していない場合に比較して、より適切な順序でアンケートを実施することができる。
【０００８】
また、本発明に係るプログラムは、コンピュータと、属性及び属性に関する依存関係が設定された複数の質問を記憶する質問記憶手段と、前記質問記憶手段に記憶されている質問がなされた履歴を記憶する質問履歴記憶手段とを有するアンケート装置において、質問を選択するための条件を受け付ける選択条件受付ステップと、質問と、該質問に対する回答と、前記受け付けられた選択条件と、前記記憶されている履歴の質問に設定された属性とに基づいて、前記記憶されている質問であって依存関係を満たす質問から、その次の質問を選択する質問選択ステップとを前記アンケート装置のコンピュータに実行させる。
【発明の効果】
【０００９】
本発明のアンケート装置によれば、本構成を有していない場合に比較して、より精度の高いアンケートを実施することができる。
【発明を実施するための最良の形態】
【００１０】
まず、本発明の理解を助けるために、本発明の概略を説明する。
図１は、本発明に係るアンケート装置により表示される画面を例示する図であって、図１（Ａ）は、回答が入力された状態の質問画面を例示し、図１（Ｂ）は、次回の質問を選択する次回質問選択画面を例示し、図１（Ｃ）は、図１（Ａ）に示される質問の次の質問画面を例示する。
図１（Ａ）に例示するように、質問画面には、質問と、回答入力部と、決定ボタンとが含まれる。アンケートは、回答者が質問を読んで回答入力部に回答を入力し、決定ボタンを押下することにより行われる。このようにして、本発明に係るアンケート装置は、所定の質問に対する回答を収集する。
【００１１】
回答者が質問に回答すると、図１（Ｂ）に例示するように、本発明に係るアンケート装置は、１以上の次回質問候補（候補質問）を画面に表示する。ここで、アンケート装置は、回答された質問（「あなたの食べたいものは何ですか？」）及び該質問に対して入力された回答（「味噌ラーメンが食べたい」）からキーワードを抽出し、質問データベース（ＤＢ）を当該キーワードに基づいて検索し、検索された質問を次回質問候補として表示する。質問ＤＢには、複数の質問が予め登録されており、これらの質問のそれぞれには、複数のキーワードが予め設定されている。
【００１２】
アンケート装置は、キーワードとして、例えば、質問から「食べたいもの」を抽出し、回答から「味噌ラーメン」及び「食べたい」を抽出する。アンケート装置は、該抽出されたキーワードと合致する質問として、例えば、「有名な店は行列ができています。どうしますか？」、「なぜ味噌ラーメンなんですか？」及び「連れは塩ラーメンがよいといっています。。。」を質問ＤＢから検索する。
【００１３】
また、質問のそれぞれには、所定の依存関係が設定されている。従って、アンケート装置は、抽出されたキーワードに加えて、予め設定されている依存関係に基づいて、質問ＤＢを検索する。依存関係は、例えば、ある質問は所定の質問がなされた後に限りなされることができる等、時間的な依存を示す。
【００１４】
次回質問選択画面には、複数の質問候補から１つの質問を選択するための選択手段が表示される。例えば、選択手段は、ラジオボタンにより実現される。回答者が、ラジオボタンを用いて１つの質問を選択すると、図１（Ｃ）に例示するように、本発明に係るアンケート装置は、選択された質問をその次の質問として画面に表示し、該質問に対する回答を受け付ける。なお、選択手段は、例えば、ポップダウンメニューにより実現されてもよいし、各質問に付与された番号を直接入力することにより実現されてもよい。
【００１５】
また、本発明に係るアンケート装置には、質問ＤＢから質問を選択するための選択条件が予め設定されている。選択条件には、チェックポイント質問（優先質問）、及びチェックポイント到達条件が含まれる。チェックポイント質問は、アンケートの調査者が回答者に必ず回答してもらいたい質問である。チェックポイント到達条件は、チェックポイント質問を行うための条件である。本発明に係るアンケート装置は、チェックポイント到達条件が満たされると、次回質問候補を検索することなく、チェックポイント質問を質問ＤＢから検索して次回質問として表示する。
【００１６】
以下、本発明の実施形態に係るアンケート装置１０を具体的に説明する。
図２は、本発明の実施形態に係るアンケート装置１０のハードウェア構成を、制御装置１２を中心に示す図である。
図２に示すように、アンケート装置１０は、ＣＰＵ１４及びメモリ１６などを含む制御装置１２と、ネットワークを介して外部のコンピュータなどとデータの送信及び受信を行う通信装置１８と、ハードディスクドライブなどの記憶装置２２と、液晶ディスプレイなどの表示装置並びにキーボード及びマウス等のポインティングデバイスを含むユーザインタフェース（ＵＩ）装置２０とを有する。
【００１７】
アンケート装置１０は、例えば、後述するアンケートプログラム４などがインストールされた汎用コンピュータであり、複数の質問を記憶し、質問を選択するための条件を受け付け、質問と該質問に対する回答と前記受け付けられた選択条件とに基づいて、前記記憶されている質問から、その次の質問を選択する。なお、アンケート装置１０は、ＵＩ装置のキーボード及びマウスなどを介してアンケートに対する回答データを取得してもよいし、サーバとして機能して通信装置１８を介して質問の表示及び回答データの取得を行ってもよい。
【００１８】
図３は、本発明の実施形態に係るアンケート装置１０の制御装置１２により実行されるアンケートプログラム４の機能構成を示す図である。
図３に示すように、アンケートプログラム４は、ユーザインタフェース（ＵＩ）部４０、質問登録部４２、質問ＤＢ４４、質問選択部４６、質問表示部４８、質問受付部５０、選択条件受付部５２、選択条件記憶部５４、回答受付部５６及び回答ＤＢ５８を有し、質問選択部４６は、質問検索部６０、キーワード抽出部６２及び判定部６４を有する。
【００１９】
アンケートプログラム４は、例えば、図示しないネットワークに接続された外部のコンピュータから通信装置１８を介して制御装置１２に供給され、メモリ１６にロードされて、制御装置１２上で動作する図示しないＯＳ上で、ハードウェアを具体的に利用して実行される。なお、アンケートプログラム４は、ＦＤ、ＣＤ又はＤＶＤなどの記録媒体２４に格納されてアンケート装置１０に供給されてもよい。
【００２０】
アンケートプログラム４において、ＵＩ部４０は、ＵＩ装置２０に対する回答者又は調査者の操作を受け入れ、アンケートプログラム４の各構成部分に対して出力する。さらに、ＵＩ部４０は、アンケートプログラム４の各構成部分により作成された情報・データ及び各構成部分の処理内容などをＵＩ装置２０の表示装置に表示する。なお、アンケート装置１０が、外部のコンピュータと通信装置１８を介してデータの送受信を行う場合、ＵＩ部４０は、これらのコンピュータとの間の通信に必要とされる通信処理を行う。
【００２１】
質問ＤＢ４４は、属性及び属性に関する依存関係が設定された複数の質問を記憶する質問記憶手段を構成する。質問ＤＢ４４は、メモリ１６及び記憶装置２２の少なくともいずれかにより実現される。なお、質問ＤＢ４４に記憶されている質問については、後で詳述する。
質問登録部４２は、アンケートの調査者又はアンケート装置１０の管理者などによりＵＩ装置２０を介して入力される質問を受け付けて、質問ＤＢ４４に登録する。また、質問登録部４２は、質問の更新、削除等をＵＩ装置２０を介して受け付けて、質問ＤＢ４４に記憶されている質問の更新、削除等を行う。なお、質問登録部４２は、通信装置１８を介して質問の登録、更新、削除等を受け付けてもよい。
【００２２】
回答ＤＢ５８は、質問及び該質問に対する回答者の回答を記憶する。このため、回答ＤＢ５８は、既になされた質問及び回答を記憶し、質問ＤＢ４４に記憶されている質問がなされた履歴を記憶する質問履歴記憶手段を構成する。回答ＤＢ５８は、質問ＤＢ４４と同様に、記憶装置２２等により実現される。なお、回答ＤＢ５８に記憶されている回答については、後で詳述する。回答受付部５６は、回答者がＵＩ装置２０を用いて入力した回答をＵＩ部４０を介して受け付けて、回答ＤＢ５８に保存する。
【００２３】
選択条件受付部５２は、質問を選択するための条件（選択条件）をＵＩ装置２０を介して受け付けて、選択条件記憶部５４に格納する。なお、選択条件受付部５２は、通信装置１８を介して選択条件を受け付けてもよい。また、選択条件については、後で詳述する。
選択条件記憶部５４は、選択条件受付部５２に受け付けられた選択条件を記憶する。選択条件記憶部５４は、質問ＤＢ４４と同様に、記憶装置２２等により実現される。
【００２４】
質問選択部４６は、質問と、該質問に対する回答と、選択条件受付部５２に受け付けられた選択条件と、回答ＤＢ５８に記憶されている履歴の質問に設定された属性とに基づいて、質問ＤＢ４４により記憶されている質問であって依存関係を満たす質問から、その次の質問を選択する。より具体的には、質問選択部４６は、後述するチェックポイント到達条件が満たされた場合、次の質問としてチェックポイント質問を質問ＤＢ４４から選択し、そうでない場合、質問及び該質問に対する回答からキーワードを抽出し、当該キーワードと、予め質問に設定されている依存関係とに基づいて、次の質問として次回質問候補を質問ＤＢ４４から検索する。
【００２５】
質問選択部４６において、判定部６４は、選択条件記憶部５４に記憶されているチェックポイント到達条件を参照し、チェックポイント到達条件が満たされたか否かを判定する。キーワード抽出部６２は、判定部６４によりチェックポイント到達条件が満たされていないと判定された場合、質問と該質問に対する回答からキーワードを抽出する。質問検索部６０は、キーワード抽出部６２により抽出されたキーワードと依存関係とに基づいて質問ＤＢ４４から質問を検索する。なお、質問選択部４６による質問選択処理については、後で詳述する。
【００２６】
質問表示部４８は、質問選択部４６により選択された質問をＵＩ装置２０に表示する。具体的には、質問表示部４８は、質問検索部６０により検索された候補質問又はチェックポイント質問を表示する。質問表示部４８は、次回質問候補として複数の候補質問を表示する場合、質問が候補質問から選択された回数に基づいて、次回質問候補の表示順序を制御する。例えば、質問表示部４８は、選択回数の降順に次回質問候補を表示する。
【００２７】
質問受付部５０は、複数の候補質問から回答者により選択された質問をＵＩ装置２０を介して受け付けて、質問選択部４６に対して出力する。この場合、質問選択部４６は、質問受付部５０から受け付けた質問を次の質問とし、質問ＤＢ４４から該次の質問を検索し、質問表示部４８は、該検索された質問をＵＩ装置２０に表示する。
【００２８】
図４は、質問ＤＢ４４に記憶されている質問を例示する図である。
図４に例示するように、それぞれの質問のデータには、質問識別子（ＩＤ）、質問文、属性、依存関係及びキーワードが含まれる。質問ＩＤは、質問を一意に識別するための例えば英数字からなる文字列である。質問文は、質問の内容を示す。質問文には、文章だけでなく、質問としての画像データや音声データが割り当てられてもよい。属性は、質問がなされる状況に基づいて分類されたカテゴリを示し、例えば、選択、飲食、食べる、入店前、商品選択などである。キーワードは、質問に関連する１以上の単語であり、検索される際のキーとして用いられる。
【００２９】
依存関係は、過去になされた質問との依存関係を示す。具体的には、質問には、所定の属性が回答ＤＢ５８に記憶されている履歴の質問のいずれかに設定されていることが、依存関係として設定されている。あるいは、質問には、所定の属性が回答ＤＢ５８に記憶されている履歴の質問のいずれにも設定されていないことが、依存関係として設定されている。したがって、質問は、回答ＤＢ５８に記憶されている過去の質問に設定されている属性との間で、依存関係を満たす場合に検索される。
【００３０】
例えば、質問Ｑ００１００は、属性「入店前」が、回答ＤＢ５８に記憶されている履歴の質問のいずれかに設定されている場合、検索される。また、例えば、質問Ｑ００１０１は、属性「商品選択」、「食べ物待ち」、「食べる」及び「店を出る」が、回答ＤＢ５８に記憶されている履歴の質問のいずれかにも設定されていない場合、検索される。なお、複数の属性が依存関係に含まれる場合、これらの属性の間の関係は、論理和、論理積又は排他的論理和であってもよく、特に限定されない。
このような質問が質問登録部４２により質問ＤＢ４４に登録され、質問選択部４６により検索されて選択される。
【００３１】
図５は、アンケート装置１０によりなされるアンケートの構造及び選択条件記憶部５４により記憶されている選択条件について説明する図であり、図５（Ａ）は、アンケートの構造を示し、図５（Ｂ）及び図５（Ｃ）は、選択条件を例示する。
図５（Ａ）に示すように、アンケートには１以上のプロセスが含まれ、プロセスには複数の質問が含まれる。プロセスは所定の条件が満たされると終了し、次のプロセスが開始される。最後のプロセスが終了すると、アンケートは終了する。
【００３２】
選択条件は、プロセス毎に設定される。アンケートの調査者は、アンケートデータの収集のために、ＵＩ装置２０等を用いて選択条件を入力する。アンケートプログラム４の選択条件受付部５２は、選択条件として、チェックポイント質問（優先質問）、該チェックポイント質問を質問ＤＢ４４から選択するためのチェックポイント到達条件（優先質問選択条件）、及び該チェックポイント到達条件が満たされない場合に質問ＤＢ４４に記憶されている質問を検索するための検索条件を受け付ける。
【００３３】
図５（Ｂ）及び図５（Ｃ）に例示するように、選択条件には、最大質問数、検索条件、チェックポイント到達条件、及びチェックポイント質問が含まれる。最大質問数は、プロセスでなされる質問の最大数である。検索条件には、キーワードが含まれる。検索条件におけるキーワードは、該プロセスにおいて質問を選択するためのキーワードである。例えば、キーワードは、「店選択、店舗外、飲食業の全てを含むこと」として設定される。この場合、検索条件のキーワードの全てが設定されている質問が、該プロセスにおいて検索される。具体的には、質問検索部６０は、プロセスの検索条件であるキーワードを参照し、質問及び該質問に対する回答からキーワードを抽出し、参照されたキーワードと抽出されたキーワードとに基づいて、質問ＤＢ４４から質問を検索する。
【００３４】
例えば、質問検索部６０は、プロセスの検索条件であるキーワードと、質問及び該質問に対する回答から抽出されたキーワードの少なくともいずれかとが、キーワードとして設定されている候補質問を検索する。質問検索部６０は、プロセスの検索条件及び質問等から抽出されたキーワードの全てが設定されている質問を検索してもよい。
【００３５】
さらに、質問検索部６０は、回答ＤＢ５８を参照し、回答ＤＢ５８に記憶されている質問の属性に基づいて、該記憶されている質問の属性との間で依存関係を満たす質問を検索する。したがって、質問検索部６０は、依存関係を満たす質問であって上記のキーワードに関する検索条件を満たす質問を、質問ＤＢ４４から検索する。
【００３６】
チェックポイント到達条件は、質問選択部４６の判定部６４により判定される。例えば、チェックポイント到達条件が、「属性「選択」を２問回答する」と設定されている場合、属性として「選択」が設定されている２つの質問に対する回答が得られると、判定部６４は、チェックポイント到達条件が満たされたと判定する。チェックポイント到達条件が満たされたと判定部６４により判定された場合、質問検索部６０は、チェックポイント質問として設定されている質問を質問ＤＢ４４から検索する。したがって、この場合、質問選択部４６は、次の質問としてチェックポイント質問を選択する。チェックポイント質問は、例えば、図５（Ｂ）に示すように、プロセス１においては質問ＩＤがＱ００１１４である質問である。
【００３７】
チェックポイント到達条件は、プロセスの終了条件でもある。この場合、プロセスは、チェックポイント到達条件が満たされてチェックポイント質問がなされた場合に終了し、次のプロセスに移行する。なお、プロセスの終了条件は、最大質問数が満たされることであってもよい。この場合、チェックポイント質問がなされた後においても、質問は検索条件に基づいて検索される。
【００３８】
図６は、回答ＤＢ５８に記憶されている回答を例示する図である。
図６に例示するように、それぞれの回答のデータには、質問順序、質問ＩＤ、及び回答が含まれる。質問順序は、該質問がなされた順序番号である。質問ＩＤは、この順序でなされた質問の質問ＩＤであって質問ＤＢ４４に記憶されているものである。回答は、該質問に対して回答者により入力された回答である。したがって、質問選択部４６は、回答ＤＢ５８を参照することにより、過去になされた質問の質問ＩＤを確認し、該質問ＩＤに基づいて質問ＤＢ４４を参照することにより、該質問の属性を確認する。このようにして確認された過去の質問の属性は、質問検索部６０による検索処理において用いられる。
【００３９】
図７は、アンケートプログラム４によるアンケート処理（Ｓ１０）を示すフローチャートである。
図７に示すように、ステップ１００（Ｓ１００）において、質問選択部４６の質問検索部６０は、選択条件記憶部５４に記憶されている選択条件を参照し、プロセスに設定された検索条件に基づいて質問ＤＢ４４を検索して質問を選択する。質問選択部４６は、検索された質問を質問表示部４８に対して出力する。なお、選択条件は、アンケートの調査者によりアンケート装置１０に予め入力され、選択条件受付部５２により受け付けられて、選択条件記憶部５４に記憶されている。
【００４０】
ステップ１０２（Ｓ１０２）において、質問表示部４８は、当該質問と回答入力部とを含む質問画面をＵＩ装置２０に表示する。
ステップ１０４（Ｓ１０４）において、回答者が回答を入力すると、回答受付部５６は、ＵＩ装置２０を介して入力された回答を受け付ける。
ステップ１０６（Ｓ１０６）において、回答受付部５６は、受け付けた回答を回答ＤＢ５８に保存する。このようにして、回答は、回答ＤＢ５８に蓄積される。
【００４１】
ステップ１０８（Ｓ１０８）において、質問選択部４６の判定部６４は、選択条件記憶部５４に記憶されているチェックポイント到達条件を参照し、チェックポイント到達条件が満たされるか否かを判定する。例えば、判定部６４は、属性が「選択」である質問が２問回答されたか否かを判定する。チェックポイント到達条件が満たされると判定された場合、質問選択部４６はＳ１２０の処理に進み、そうでない場合、質問選択部４６はＳ１１０の処理に進む。
【００４２】
ステップ１１０（Ｓ１１０）において、質問選択部４６のキーワード抽出部６２は、回答ＤＢ５８を参照し、質問と該質問に対する回答からキーワードを抽出する。
ステップ１１２（Ｓ１１２）において、質問検索部６０は、回答ＤＢ５８に記憶されている履歴の質問に設定された属性を参照する。
【００４３】
ステップ１１４（Ｓ１１４）において、質問検索部６０は、履歴の質問に設定された属性との間で依存関係を満たす質問であって、キーワード抽出部６２により抽出されたキーワードが設定されている質問を質問ＤＢ４４から検索する。例えば、質問検索部６０は、選択条件記憶部５４に記憶されている検索条件（キーワード）を満足する質問であって該抽出されたキーワードの少なくともいずれかがキーワードとして設定されている質問を質問ＤＢ４４から検索し、該検索された質問から、依存関係を満たす質問だけを抽出する。
【００４４】
ステップ１１６（Ｓ１１６）において、質問選択部４６は、質問検索部６０により検索された質問を質問表示部４８に対して出力し、質問表示部４８は、検索された質問を次回質問候補として、例えば過去に回答者により選択された回数の降順で、次回質問候補及び次の質問を選択する選択手段（例えば、ラジオボタン）を表示する。
ステップ１１８（Ｓ１１８）において、回答者が次回質問候補から次の質問を選択すると、質問受付部５０は、選択された質問を受け付けて質問選択部４６に対して出力する。質問選択部４６は、該受け付けられた質問を次の質問として質問表示部４８に対して出力する。その後、アンケートプログラム４は、Ｓ１０２の処理に戻る。
【００４５】
一方、チェックポイント到達条件が満たされると判定された場合、ステップ１２０（Ｓ１２０）において、質問選択部４６の質問検索部６０は、質問ＤＢ４４からチェックポイント質問を検索する。質問選択部４６は、該チェックポイント質問を質問表示部４８に対して出力し、質問表示部４８は、該チェックポイント質問をＵＩ装置２０と回答入力部とを含む質問画面をＵＩ装置２０に表示する。
ステップ１２２（Ｓ１２２）において、回答者がチェックポイント質問に対する回答を入力すると、回答受付部５６は入力された回答を受け付けて、回答ＤＢ５８に保存する。このようにして、複数の質問が、１プロセスにおいてなされる。
【００４６】
ステップ１２４（Ｓ１２４）において、質問選択部４６は、アンケートに含まれる全てのプロセスを終了したかを判定する。全てのプロセスが終了した場合、アンケートプログラム４は処理を終了し、そうでない場合、プロセスはその次のプロセスに移行し、アンケートプログラム４はＳ１０２の処理に戻る。このようにして、アンケートに含まれる全てのプロセスが実行される。
【００４７】
なお、アンケート装置１０は、汎用のパーソナルコンピュータとして実現されてもよいし、サーバとして実現されてもよい。アンケート装置１０がサーバとして実現される場合、質問及び該質問に対する回答は、ネットワークを介してアンケート装置１０と回答者により使用されるクライアントとの間で送受信される。また、アンケート装置１０は、制御装置を含み、アンケートプログラム４が動作するいわゆる電子ペーパー（ｅ−Ｐａｐｅｒともいう）として実現されてもよい。この場合、回答者が電子ペーパーに対して回答を入力することにより、アンケートプログラム４によるアンケート処理が実行される。
【００４８】
また、アンケート装置１０は、営業の販促における質問回答装置として実現されてもよい。この場合、営業担当者（回答者）は、回答として、営業場面における顧客の要求、営業状況、商材などを入力する。また、画面には、質問として、該回答に応じた対応が表示される。
【図面の簡単な説明】
【００４９】
【図１】本発明に係るアンケート装置により表示される画面を例示する図であって、図１（Ａ）は、回答が入力された状態の質問画面を例示し、図１（Ｂ）は、次回の質問を選択する次回質問選択画面を例示し、図１（Ａ）に示される質問の次の質問画面を例示する。
【図２】本発明の実施形態に係るアンケート装置１０のハードウェア構成を、制御装置１２を中心に示す図である。
【図３】本発明の実施形態に係るアンケート装置１０の制御装置１２により実行されるアンケートプログラム４の機能構成を示す図である。
【図４】質問ＤＢ４４に記憶されている質問を例示する図である。
【図５】アンケート装置１０によりなされるアンケートの構造及び選択条件記憶部５４により記憶されている選択条件について説明する図であり、図５（Ａ）は、アンケートの構造を示し、図５（Ｂ）及び図５（Ｃ）は、選択条件を例示する。
【図６】回答ＤＢ５８に記憶されている回答を例示する図である。
【図７】アンケートプログラム４によるアンケート処理（Ｓ１０）を示すフローチャートである。
【符号の説明】
【００５０】
４ アンケートプログラム
１０ アンケート装置
１２ 制御装置
１４ ＣＰＵ
１６ メモリ
１８ 通信装置
２０ ＵＩ装置
２２ 記憶装置
４０ ＵＩ部
４２ 質問登録部
４４ 質問ＤＢ
４６ 質問選択部
４８ 質問表示部
５０ 質問受付部
５２ 選択条件受付部
５４ 選択条件記憶部
５６ 回答受付部
５８ 回答ＤＢ
６０ 質問検索部
６２ キーワード抽出部
６４ 判定部
【図１】
2008021214.tif 000003
【図２】
2008021214.tif 000004
【図３】
2008021214.tif 000005
【図４】
2008021214.tif 000006
【図５】
2008021214.tif 000007
【図６】
2008021214.tif 000008
【図７】
2008021214.tif 000009